(57)【要約】【課題】  祭壇は箱型、雛壇上に安置する形式にこだわり、収納の意味合いが強く、遺族が自由に祭壇を飾る事ができず、位牌についても遺族に違和感がある。【解決手段】  蓮、牡丹などの植物を模した仏像台、花の蕾を模した位牌台、花、葉を模した供物台などによる装飾台を自由に選択できる複数の嵌合孔を備えた盤に差す。その上、生花も自由に生けることができ、遺族自身の手で祭壇を作ることが出来る。  また、蕾の位牌は戒名札、写真、分骨を収める機能を持たせただけでなく、位牌台から蕾の位牌が取り外せ、携帯できるような特徴を持たせることでこの課題を解決する。【選択図】図１７
2008194434.tif 000002
【特許請求の範囲】
【請求項１】
自由に選択できる複数の嵌合孔を備えた盤と、嵌合孔に差込み固定される装飾台とからなる祭壇。
【請求項２】
装飾台は蓮、牡丹などの植物の花または葉を模して造形したものであり、茎部分を盤の嵌合孔に差込み固定するものである請求項１に記載の祭壇。
【請求項３】
装飾台が少なくとも仏像台、位牌台、供物台のいずれかである請求項１または２いずれかに記載の祭壇。
【請求項４】
盤は内部に水を充填してなるものである請求項１から３いずれかに記載の祭壇。
【発明の詳細な説明】
【技術分野】
【０００１】  故人ならびにペットの供養のための祭壇に関するものである。
【背景技術】
【０００２】  従来の祭壇は、小型から大型まで、又、和風から洋風のものまで種類は多くなったが、箱型であるため暗く、雛壇上に安置するという形式にこだわり、遺族が自由に祭壇をアレンジできるものではなく、且つ遺族が故人及びペットを拝む対象物である位牌との間にも違和感がある。【０００３】  先行技術を記す。
非特許文献「ＧＡＴ  ＲＯＯＭ  Ｇｅｎｄａｉ−ｂｕｔｓｕｄａｎ  ２００５ＹＡＧＩＫＥＮ．Ｃａｔａｌｏｇｕｅ」株式会社  八木研
【発明の開示】
【発明が解決しようとする課題】
【０００４】  これは次のような欠点があった。
（イ）祭壇は大型から小型、洋風化した住宅事情に合うものまで多様化しているが、依然として箱型、雛壇上に安置するという形式にこだわっている。
（ロ）遺族が自由に祭壇をアレンジすることができない。
（ハ）箱型であるため、暗く、故人ならびにペットを偲び供養するというより収納の意味合いが強い。故人ならびにペットを偲ぶ遺族の気持ちに視点を置いた供養の仕方が実現できていない。
（ニ）遺族が故人ならびにペットを拝む対象物である位牌との間に違和感がある。
本発明は、以上の欠点をなくすために作られたものである。
【課題を解決するための手段】
【０００５】（イ）自由に選択できる複数の嵌合孔を備えた盤に、蓮、牡丹などの植物を模して造形した仏像台に安置した本尊、花の蕾を模して造形した位牌台に安置した位牌、花、葉を模して造形した供物台よりなる装飾台のそれぞれの茎部分を自由にアレンジして嵌合孔に差込み、
（ロ）あるいは、底深の箱型をした内部に水を充填した盤に自由に選択できる複数の嵌合孔を備えた且つ嵌合孔の位置を自由に変更できる仕組みの装置を装着し同様に装飾台のそれぞれの茎部分を嵌合孔に差込み、また生花を自由にアレンジして生けることができる。
本発明は以上のような構成よりなる、故人ならびにペットを偲ぶ祭壇である。
【発明の効果】
【０００６】  本発明は形式にこだわらず、多様な遺族の気持ちに視点をおいた祭壇であり、以下の効果がある。
（イ）蕾の位牌は位牌台より取り外せる構造になっており、遺族が携帯することができ親近感が生まれる。
（ロ）花の蕾を模して造形した位牌台に安置した位牌に戒名札、写真の取り付け及び分骨を体内に収めた造形物を安置する機能を持たせること。
本尊を安置する仏像台も蓮、牡丹などの植物を模して造形したものであること。
以上により、遺族が拝む対象物である位牌との間に親近感が生まれる。又故人並びにペットが本尊の側にいるという安心感が持てる。
（ハ）造形された装飾台は嵌合孔を選択して差しアレンジできるばかりか、生花も自由にアレンジして生け、遺族自身の手で祭壇を作る事ができる。
（ニ）造形された装飾台はその種類、数を増減でき、遺族の多様性に応える事ができる。
（ホ）造形された装飾台は自由に増やすことができるばかりか、生花も自由にアレンジして生けることができる。
（ヘ）この発明は装飾性を持っているので床の間、チェストの上などに生花を生けるように祭壇を作ることができる。
（ト）あたかも水面から浮いて咲いている花のように飾ることができ、故人並びにペットを偲ぶ遺族の気持ちは癒される。
（チ）手元にある水盤に嵌合孔を備えた装置を装着することで祭壇を作ることができる。
【発明を実施するための最良の形態】
【０００７】  以下、本発明を実施するための最良の形態について説明する。
（イ）蓮、牡丹などの植物を模した造形物は木から成型する場合、一般木工機械、旋盤、ルーターマシン、彫刻機のほか、木材構成分であるセルロース、ヘミセルロース、リグニンの熱軟化特性を利用して成型される。
（ロ）図１７より説明する。図１７は自由に選択できる複数の１２（嵌合孔）を備えた１（盤）に背景となる故人ならびにペットの９（フォトフレーム）を差し、（イ）より成型された４（仏像台）、６（位牌台）、７（供物台）などの装飾台のそれぞれの茎部分を自由に嵌合孔に差す。こうして図１７の祭壇はできる。尚、造形された装飾台はその種類と数を増減させることができる。また装飾台に蝶など昆虫を模した造形物を取り付けることもできる。
一例を示す図１７斜視図による盤は厚さ５センチであるが、厚みを深く取って棚、引き出しを付けることもできる。
（ハ）図１８により説明する。図１８は２（底深の箱型の盤）の内部に水を充填し、自由に選択できる複数の１２（嵌合孔）を備え、且つ１２の位置を自由に変更できる仕組みの１３（装置）を装着することで、１２に装飾台のそれぞれの茎部分を自由に差して固定し、その上、嵌合孔の付いてない箇所より生花も自由にアレンジして差し図１８の祭壇を作ることができる。
（ニ）図１９により説明する。図１９は水を充填した底浅の盤内に、脚のある１３（嵌合孔を備えた装置）を置き、装飾台のそれぞれの茎部分を嵌合孔を選択して差す。次に剣山を利用して水中に生花を差し、図１９の祭壇はできる。
（ホ）図２０により説明する。図２０は水を充填した底深の盤内に、１３（嵌合孔を備えた装置）を置き、装飾台のそれぞれの茎部分を嵌合孔を選択して差す。次に上部１６（生花のための孔）を利用して下部１６（生花のための孔）に差し、図２０の祭壇はできる。図２０の盤は（イ）ガラス、アクリル等々による全体が透明なもの（ロ）水面より上部は非透明、水面より下部は透明（ハ）水面より上部は透明、水面より下部は非透明（二）前面は透明、背面は非透明等による。
尚、図２０の盤は水中に明かりを取り込み、魚を放った水槽を備えた祭壇とすることもできる。
（ヘ）図２１、２２により説明する。図２１、２２は装飾台の茎部分を差込固定する嵌合孔の一例である。
嵌合孔は１３の装置上で自由に着脱、移動することができる。
本発明は、以上のような構成よりなる。
【図面の簡単な説明】
【０００８】
【図１】本発明の仏像台の正面図である。
【図２】本発明の仏像台の平面図である。
【図３】本発明の仏像台の底面図である。
【図４】本発明の位牌台と位牌の正面図である。
【図５】本発明の位牌台と位牌の平面図である。
【図６】本発明の位牌台と位牌の背景図である。
【図７】本発明の位牌台と位牌の右側面図である。
【図８】本発明の位牌台と位牌の左側面図である。
【図９】本発明の位牌台と位牌の底面図である。
【図１０】本発明の供物台の正面図である。
【図１１】本発明の供物台の平面図である。
【図１２】本発明の供物台の底面図である。
【図１３】本発明の仏像台に本尊を安置した正面図である。
【図１４】本発明の位牌台と写真並びに戒名札を取り付けた位牌の正面図である。
【図１５】本発明の位牌台に造形物の安置並びに戒名札を取り付けた位牌の正面図である。
【図１６】本発明の位牌台と戒名札を取り付けた位牌の正面図である。
【図１７】本発明の盤に作られた祭壇の斜視図である。
【図１８】本発明の底深の盤に作られた祭壇の斜視図である。
【図１９】本発明の水を充填し嵌合孔を備えた装置と底浅の盤の斜視図である。
【図２０】本発明の水を充填し嵌合孔を備えた装置と底深の盤の斜視図である。
【図２１】嵌合孔の平面図である。
【図２２】嵌合孔の断面図である。
【符号の説明】
【０００９】１盤
２底深の盤
３本尊
４仏像台
５位牌
６位牌台
７供物台
８写真
９フォトフレーム
１０戒名札
１１造形物
１２嵌合孔
１３嵌合孔を備えた装置
１４水
１５剣山
１６生花を差し込むための孔
【図１】
2008194434.tif 000003
【図２】
2008194434.tif 000004
【図３】
2008194434.tif 000005
【図４】
2008194434.tif 000006
【図５】
2008194434.tif 000007
【図６】
2008194434.tif 000008
【図７】
2008194434.tif 000009
【図８】
2008194434.tif 000010
【図９】
2008194434.tif 000011
【図１０】
2008194434.tif 000012
【図１１】
2008194434.tif 000013
【図１２】
2008194434.tif 000014
【図１３】
2008194434.tif 000015
【図１４】
2008194434.tif 000016
【図１５】
2008194434.tif 000017
【図１６】
2008194434.tif 000018
【図１７】
2008194434.tif 000019
【図１８】
2008194434.tif 000020
【図１９】
2008194434.tif 000021
【図２０】
2008194434.tif 000022
【図２１】
2008194434.tif 000023
【図２２】
2008194434.tif 000024